(57)【要約】【課題】被振動体がもつ性能の低下を抑制させること。【解決手段】振動付与装置１は、骨伝導スピーカ１３と、骨伝導スピーカ１３を固定する台座１２と、弦楽器２０を載置する支持部１１２、１２１とを有し、骨伝導スピーカ１３が発する固有振動を、台座１２を介して支持部１２１に伝達させる。【選択図】図２
2020003551.tif 000002
【特許請求の範囲】
【請求項１】
骨伝導スピーカと、
被振動体を載置する載置部と、
前記骨伝導スピーカが発する固有振動を前記載置部に伝達させる振動伝達部と、
を有することを特徴とする振動付与装置。
【請求項２】
前記載置部に載置された弦楽器を覆い、内部を気密に保つ気密部を有する請求項１に記載の振動付与装置。
【請求項３】
持ち運び可能な取っ手を有する請求項１または２に記載の振動付与装置。
【請求項４】
前記被振動体が弦楽器または弦楽器の材料となる木材である請求項１または３のいずれかに記載の振動付与装置。
【請求項５】
前記被振動体に適切な振動が付与されているか否かの判断結果に基づき、前記骨伝導スピーカが発する固有振動の周波数を変化させる制御部を有する請求項１ないし４のいずれかに記載の振動付与装置。
【発明の詳細な説明】
【技術分野】
【０００１】
本発明は振動付与装置に関する。
【背景技術】
【０００２】
木製楽器のエイジング装置が知られている。例えば、内部に小さな空隙部を持つファイバー及び粒状素材よりなるセルロースファイバー又は同等の特性を持つ材料により構成される吸放湿性及び遮音・吸音性のある充填断熱材を、透湿性及び内部寸法による定在波が強調されない程度の吸音率を持つ内壁材と防水透湿性と遮音性のある木質系又は同等な特性を持つ外壁材で積層された複合壁により周辺を形成され且つ同複合壁と同等な特性の壁材よりなる開閉可能な扉を持つ箱状の収納空間を構成する構造物において、内部空間を外部より高温に維持する加熱器を備え、木製楽器又は自然系植物・動物の素材を持つ物体や製品等を入れ、同時に、内部空間にて音響装置による音楽を演奏し、音響加振を行う装置が知られている。
【先行技術文献】
【特許文献】
【０００３】
【特許文献１】特開２０１１−２２５４６号公報
【発明の概要】
【発明が解決しようとする課題】
【０００４】
・ヴァイオリンの歴史的展開
【０００５】
十七世紀後半から十八世紀にかけてイタリア北部のクレモナ村で製作されたヴァイオリン及び他の弦楽器の多くは、歴代の名演奏家達によって弾き継がれ、三百年以上の時を経ても聊かも色褪せることなく、現代人の耳と心を魅了していることは周知の事実である。特にストラディヴァリが製作したヴァイオリンをストラディヴァリウスと言い、ガルネリが製作したヴァイオリンをガルネリ・デル・ジェスと呼んでいるが、二人が作ったヴァイオリンに優る名器は後にも先にもないとまで言われている。ストラディヴァリは生涯二千挺ほど製作したが、現存するのは約六百挺ほどで、実際演奏会で使用されているのはそのうちの百数十挺余りであることは分かっている。では残りの四百数十挺はどうなっているのかと言えば、世界的に有名な博物館か記念館に展示されているか、或いは公共施設の金庫の中か大金持ちのコレクションとして所蔵されているかのいずれかである。
【０００６】
しかし何百年もの間、全く音を出さずに保管されていると、そのヴァイオリンから本来の素晴らしい音色を引き出すのに、何年もの時間が費やされたと多くの演奏家が述懐している。このことを考えると、ストラディヴァリウスやガルネリ・デル・ジェスのような名器は、単に温度と湿度だけで管理されていれば問題ないとは言い切れない理由があると考えられる。
・ヴァイオリンの特異な構造
【０００７】
「ヴァイオリンは人間に最も近い楽器である」と、ヴァイオリンに関する多くの書物に共通して書かれている。ヴァイオリンの胴体は共鳴体と呼ばれ、表板のｆ孔と関連して、固有な共振周波数を発生する。１００％手作りのため全く同じ共鳴体を作ることは非常に困難（実質的に不可能）であるから、ヴァイオリンに限らず弦楽器の一つ一つに、異なる個性的な音色が生まれることになる。ヴァイオリンの構造で最もユニークなのが、表板と裏板に挟まれた響柱（一般的には魂柱）と呼ばれる太さ約６ミリの松材の棒である。接着剤で固定されている訳ではないのに、表板と裏板の振動を増幅させる機能がある。この魂柱の微妙な位置により音色や響きが、全く異なることも分かっている。ヴァイオリンの制作者と優れた演奏家の経験により、魂柱の在るべき位置が決まる。表板の裏に貼られたバスバーという細長い薄板や、アーチ型に削られた表板と裏板の形状等、さほど複雑でない構造でも、それらがヴァイオリンという楽器に形作られたときに、最良の共鳴音が醸し出せるよう工夫されているようである。
・ヴァイオリンの楽器としての特徴
【０００８】
ヴァイオリンの修復技術者として世界的に高名な中澤宗幸氏の著書、「ストラディヴァリウスの真実と嘘  世界文化社」の５６頁および５７頁には「５５個前後の部品で組み立てられているヴァイオリンは、ほとんどの素材が有機物で出来た生き物なのです」と記載されている。生き物のように感じるのは制作者だけでなく、初めて名器を手に取り弾いた多くの演奏家の異口同音の感嘆でもある。つまり名器と言われるヴァイオリンは名演奏家が弾くことにより、生き物として命を全う出来ると言っても過言ではないであろう。しかし現在世界を見渡しても、何百挺の名器であるヴァイオリンは半ば死んだように、温度と湿度だけで管理されている、恰も暗い棺桶同然のケースに仕舞われているだけであるから、何十年何百年後に運良く名演奏家に渡されたとしても、直ぐにはその名器が誕生した時代の音色を呼び覚ますには、相当な時間が掛かったと述懐した演奏家が多くいることも事実である。
１つの側面では、本発明は、被振動体がもつ性能の低下を抑制させることを目的とする。
【課題を解決するための手段】
【０００９】
上記目的を達成するために、開示の振動付与装置が提供される。この振動付与装置は、骨伝導スピーカと、被振動体を載置する載置部と、前記骨伝導スピーカが発する固有振動を前記載置部に伝達させる振動伝達部とを有している。
【発明の効果】
【００１０】
１態様では、被振動体がもつ性能の低下を抑制させることができる。
【図面の簡単な説明】
【００１１】
【図１】実施の形態のシステムを説明する図である。
【図２】実施の形態の振動付与装置を示す図である。
【図３】実施の形態の振動付与装置のハードウェア構成を示す図である。
【発明を実施するための形態】
【００１２】
以下、実施の形態の振動付与装置を、図面を参照して詳細に説明する。
＜実施の形態＞
図１は、実施の形態のシステムを示す図である。
【００１３】
実施の形態のシステム１００は、データセンタ２００に複数の振動付与装置１がネットワーク５０を介して接続されている。各振動付与装置１には、データセンタ２００が振動付与装置１を識別するための固有のＩＤが割り振られている。
図２は、実施の形態の振動付与装置を説明する図である。
実施の形態の振動付与装置１は、基台１１を有している。
【００１４】
基台１１の上部には木製の台座１２が載置されている。この台座１２には、骨伝導スピーカ（骨伝導装置）１３が固定されている。なお、図１では台座１２の形状はＴ字状をなしているが、台座１２の形状はＴ字状には限定されない。
【００１５】
骨伝導スピーカ１３は、特定の固有振動を発する音楽を再生可能である。音楽の種別としては特に限定されないが、例えば弦楽器が多く用いられたオーケストラの楽曲や、著名な演奏家による弦楽器のソロ演奏の楽曲や、ソルフェジオ周波数（５２８Ｈｚ等）等が挙げられる。
【００１６】
また、台座１２には、台座１２から鉛直方向に設けられ、弦楽器（被振動体）２０のネック部分を支持する支持部１２１が設けられている。基台１１には、弦楽器２０の裏板部分を支持する支持部１１１が設けられている。図２では弦楽器としてヴァイオリンを図示している。しかし、弦楽器の種別は、特に限定されず、他にも例えば、ビオラ、チェロ等が挙げられる。また、図２では支持部１１１および支持部１２１の位置が固定されているが、例えば基台１１の長手方向に移動できるようになっていてもよい。これにより、弦楽器の大きさや種別に応じて弦楽器を安定して支持することができる。
【００１７】
また、振動付与装置１は、基台１１上に配置され、骨伝導スピーカ１３および弦楽器２０を覆う蓋体１４を有している。基台１１の蓋体１４と当接する部位に溝が設けられていても良い。
本実施の形態の蓋体１４は全体がガラスで形成されている。なお、蓋体１４の形状は図示のものに限定されない。
また、基台１１、台座１２、および蓋体１４の構成材料は、前述したものに限定されず、例えば、樹脂や金属を用いてもよい。
また、部材の一部が他の部材で形成されていてもよい。例えば、蓋体１４は、一部がガラスで他の部分が木や金属で形成されていてもよい。
台座１２と骨伝導スピーカ１３と蓋体１４とにより弦楽器２０を共鳴させる共鳴箱の主要部が画成される。
基台１１は表示部１１２と図示しない制御部とを有している。
【００１８】
表示部１１２は、制御部の指示に応じて振動付与装置１に関する情報（例えば共鳴箱内の温度や湿度）を表示する。また、表示部１１２は、タッチパネルを備えている。ユーザは、タッチパネルを操作することにより、制御部に指示を送ることができる。
制御部は、例えばユーザの指示に応じて骨伝導スピーカ１３から発生させる音楽の種類や音量、時間等を制御することができる。
また、図示していないが、振動付与装置１には温度や湿度を一定に保つ機構を有していても良い。
次に、実施の形態の振動付与装置１のハードウェア構成を説明する。
図３は、実施の形態の振動付与装置のハードウェア構成を示す図である。
【００１９】
振動付与装置１は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００２０】
ＲＡＭ１０２は、振動付与装置１の主記憶装置として使用される。ＲＡＭ１０２には、ＣＰＵ１０１に実行させるアプリケーションプログラムの少なくとも一部が一時的に格納される。また、ＲＡＭ１０２には、ＣＰＵ１０１による処理に使用する各種データが格納される。
【００２１】
バス１０８には、内蔵メモリ１０３、グラフィック処理装置１０４、入力インタフェース１０５、センサ１０６および通信インタフェース１０７が接続されている。
【００２２】
内蔵メモリ１０３は、磁気的にデータの書き込みおよび読み出しを行う。内蔵メモリ１０３は、振動付与装置１の二次記憶装置として使用される。内蔵メモリ１０３には、アプリケーションプログラム、および各種データが格納される。なお、二次記憶装置としては、フラッシュメモリ等の半導体記憶装置を使用することもできる。
【００２３】
グラフィック処理装置１０４には、ディスプレイ１０４ａが接続されている。ディスプレイ１０４ａは、表示部１１２に対応している。グラフィック処理装置１０４は、ＣＰＵ１０１からの命令に従って、画像をディスプレイ１０４ａの画面に表示させる。ディスプレイ１０４ａとしては、液晶表示装置等が挙げられる。また、ディスプレイ１０４ａは、タッチパネル機能も備えている。
入力インタフェース１０５は、タッチパネルから送られてくる信号をＣＰＵ１０１に送信する。
【００２４】
センサ１０６は、骨伝導スピーカ１３の固有振動数を検出したり、弦楽器２０の共鳴する振動数を検出したりするセンサを有している。また、センサ１０６は、共鳴箱内の温度や湿度を検出するセンサを有している。
【００２５】
通信インタフェース１０７は、ネットワーク５０に接続されている。通信インタフェース１０７は、ネットワーク５０を介して、データセンタや他の通信機器との間でデータを送受信する。
以上のようなハードウェア構成によって、本実施の形態の処理機能を実現することができる。
次に、振動付与装置１の動作の一例を説明する。
【００２６】
まず、ユーザは蓋体１４を基台１１から取り外し、弦楽器２０を支持部１１１および支持部１２１に載置する。その後、蓋体１４を基台１１に載置することで、内部が気密に保たれる共鳴箱が画成される。また、ユーザは、表示部１１２のタッチパネルを操作し、共鳴箱内に載置されている弦楽器の種別を指定する。また、ユーザは、骨伝導スピーカ１３から発生させる音楽の種別を指定する。
【００２７】
制御部により骨伝導スピーカ１３は固有振動を発する音楽を再生し、台座１２、および支持部１２１を介して弦楽器２０が共鳴する固有振動を伝達させる。これにより、弦楽器２０を実際に演奏されているような状態と同じような状態にすることができる。
【００２８】
各振動付与装置１は、センサ１０６が検出した固有振動の波形を含むデータを、ネットワーク５０を介してデータセンタ２００に送る。なお、振動付与装置１がデータセンタ２００に送信するデータとしては例えば以下の２つの波形が考えられる。
パターン１：骨伝導スピーカ１３の固有振動の波形と、共鳴箱内に載置されている弦楽器２０の種別と固有のＩＤとの組み合わせ
パターン２：共鳴箱内に載置されている弦楽器２０自体が共鳴により発する固有振動の波形と固有のＩＤとの組み合わせ
データセンタ２００は、振動付与装置１から受信したこれらの波形をチェックすることにより、弦楽器に適切な振動が付与されているか否かを判断する。
【００２９】
具体的には、データセンタ２００は、固有振動の波形を所定の基準に照らし合わせて基準内であれば適切な振動であるものと判断する。例えば、弦楽器２０の魂柱の発する固有振動数が５２８Ｈｚに近ければ、適切な振動であるものと判断する。
【００３０】
基準外であれば、データセンタ２００は骨伝導スピーカ１３により弦楽器２０に付与されている振動が不適切な振動であるものと判断し、ネットワーク５０を介して該当する振動付与装置１に振動を改善する旨、伝達する。その際、データセンタ２００は表示部１１２に警告画面を表示させる信号を送る等してもよい。また、データセンタ２００は制御部に振動数の変更を指示する信号を送る等してもよい。データセンタ２００から振動を改善する旨伝達を受けた制御部は、骨伝導スピーカ１３が弦楽器２０に付与する固有振動の振動数を変えることにより、振動付与装置１は、センサ１０６が検出した固有振動の波形を含むデータを、再度ネットワーク５０を介してデータセンタ２００に送るようにしてもよい。この動作をデータセンタ２００が適切な振動であると判断するまで繰り返すことにより、弦楽器２０に適した振動を付与することができる。
【００３１】
また、データセンタ２００は、弦楽器に振動を付与する時間を管理することにより、その弦楽器が十分な性能を発揮できる状態か否かを判断し、振動付与装置１に送信することもできる。例えば、データセンタ２００は、弦楽器に振動を付与する時間が所定時間以上の場合、その弦楽器が十分な性能を発揮できる状態であると判断し、振動付与装置１に送信する。
【００３２】
以上述べたように、振動付与装置１は、骨伝導スピーカ１３と、骨伝導スピーカ１３を固定する台座１２と、弦楽器２０を載置する支持部１１２、１２１とを有し、骨伝導スピーカ１３が発する固有振動を台座１２を介して支持部１２１に伝達させるようにした。
長期間に亘り、温度湿度で管理保存されている弦楽器は、演奏されなければその楽器の持つ性能を十分に発揮できない可能性がある。
【００３３】
振動付与装置１により骨伝導スピーカ１３を介して振動を弦楽器に伝達し続けることによって、所謂エイジング効果により弦楽器を安定動作させることが期待できる。すなわち、それまで長期間に亘り演奏されていなかった弦楽器であっても振動付与装置１により安定的に振動が所定時間付与されることにより、いままで演奏家が定期的に演奏していたかのような性能を発揮できることが期待できる。
【００３４】
また、人工知能による管理システムを利用して、弦楽器に与える固有振動の効果を計測することで、弦楽器としての個性的な音色を損なう恐れを大幅に軽減することができる。
【００３５】
なお、本実施の形態では振動付与装置１を箱形のような形状とした。しかし、振動付与装置の形状はこれに限らず、例えば持ち運び可能な取っ手を有するケースのような形状をなしていてもよい。
【００３６】
また、本実施の形態では振動付与装置１を弦楽器２０の性能を発揮させる目的で使用する例を説明した。しかし、これに限らず、例えば骨伝導スピーカ１３が発する振動を利用して魂柱の位置を調整したり、弦楽器２０の不具合を発見したりする用途等にも振動付与装置１を使用することができる。
【００３７】
なお、本実施の形態では被振動体として弦楽器を例示した。しかし、これに限らず、被振動体は、裁断された弦楽器の材料であってもよい。弦楽器の材料としては、例えばスプルース（トウヒ）やメイプル（楓）等が挙げられる。これらの材料を共鳴箱に予め入れておき、長期に亘り骨伝導スピーカ１３から固有振動を与え続ける。そして、この材料で弦楽器を製作することにより、人間で言う胎教のような効果を弦楽器に与えられることが期待できる。
【００３８】
なお、データセンタ２００が備える機能の一部を振動付与装置１が有していてもよいし、振動付与装置１が備える機能の一部をデータセンタ２００が有していてもよい。
【００３９】
以上、本発明の振動付与装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【００４０】
なお、上記の処理機能は、コンピュータによって実現することができる。その場合、振動付与装置１が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００４１】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００４２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００４３】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００４４】
１  振動付与装置
１１  基台
１１１  支持部
１１２  表示部
１２  台座
１２１  支持部
１３  骨伝導スピーカ（骨伝導装置）
１４  蓋体
２０  弦楽器
２００  データセンタ
【図１】
2020003551.tif 000003
【図２】
2020003551.tif 000004
【図３】
2020003551.tif 000005
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
骨伝導スピーカと、
被振動体を載置する載置部と、
前記骨伝導スピーカが発する固有振動を前記載置部に伝達させる振動伝達部と、
前記被振動体に弦楽器が共鳴する固有振動を基準として適切な振動が付与されているか否かの判断結果に基づき、前記骨伝導スピーカが発する固有振動の周波数を変化させる制御部と、
を有することを特徴とする振動付与装置。
【請求項２】
前記載置部に載置された弦楽器を覆い、内部を気密に保つ気密部を有する請求項１に記載の振動付与装置。
【請求項３】
持ち運び可能な取っ手を有する請求項１または２に記載の振動付与装置。
【請求項４】
前記被振動体が弦楽器または弦楽器の材料となる木材である請求項１または３のいずれかに記載の振動付与装置。